(57)【要約】【課題】侵入信号を受信した時に、炎センサの感度を高感度に切り替えるように制御することで、通常は感度を低感度に設定して、屋外に設置しても、誤報を生じさせない。監視カメラを使用して、煙の濃度や色相を演算する。【解決手段】炎検知部２１を有する炎センサ２０と、人体検知部１１を有する人体センサ１０とを備えた放火検知システムにおいて、前記炎検知部の感度を設定する感度設定部２２と、前記人体検知部１１が人体を検知した時、侵入信号を送信する送信部１２と、前記侵入信号を受信する受信部２５とを設け、前記侵入信号を受信した時、前記感度設定部の感度を高感度に切り替えるように制御する。【選択図】  図１
2004303093.tif 000002
【特許請求の範囲】
【請求項１】
炎検知部を有する炎センサと、人体検知部を有する人体センサとを備えた放火検知システムにおいて、
前記炎検知部の感度を設定する感度設定部と、
前記人体検知部が人体を検知した時、侵入信号を送信する送信部と、
前記侵入信号を受信する受信部とを設け、
前記侵入信号を受信した時、前記感度設定部の感度を高感度に切り替えるように制御することを特徴とする放火検知システム。
【請求項２】
前記炎センサに、前記炎検知部が炎を検知した時、火災信号を送信する送信部を設け、該火災信号と前記侵入信号とを受信した時、放火と判断する受信機を備えたことを特徴とする請求項１記載の放火検知システム。
【請求項３】
前記受信機に、放火と判断した時、放火信号を所定の携帯端末に移報する移報部を設けたことを特徴とする請求項２記載の放火検知システム。
【請求項４】
前記炎検知部に、カメラ部と照明部とを設け、前記侵入信号を受信した時に、該カメラ部と照明部とを起動するよう制御することを特徴とする請求項２又は請求項３記載の放火検知システム。
【請求項５】
前記炎センサ及び前記人体センサに、太陽電池を設けたことを特徴とする請求項１乃至請求項４いずれかに記載の放火検知システム。
【請求項６】
人体を検知した時、侵入信号を無線で送信する無線送信部を有する人体センサと、
炎を検知した時、火災信号を無線で送信する無線送信部を有する炎センサとを備え、
センサの視野内に防護すべき建造物が収まるように、前記人体センサと前記炎センサを、前記建造物の周りに設けることを特徴とする放火検知システム。
【発明の詳細な説明】
【０００１】
【発明の属する技術分野】
本発明は、火災、特に重要文化財などにおける放火を検知する放火検知システムに関するものである。
【０００２】
【従来技術】
従来、炎検知部を有する炎センサと、人体検知部を有する人体センサとを備えた放火センサが特許文献１などで開示されている。この放火センサは、炎センサと人体センサとがそれぞれ炎と人体を検出した時に、放火と判断し警報するものである。
【０００３】
【特許文献１】
特開２０００−１２３２６６号公報
【０００４】
【発明が解決しようとする課題】
放火は、通常の火災と異なり、建家の外部で火災が生じるものである。このため屋外で火災を検出する必要があるが、炎センサを屋外に設置すると、太陽光などによって誤報を生じる恐れがある。
【０００５】
【課題を解決するための手段】
本発明は、以上の課題を解決するためになされたもので、炎検知部を有する炎センサと、人体検知部を有する人体センサとを備えた放火検知システムにおいて、炎検知部の感度を設定する感度設定部と、人体検知部が人体を検知した時、侵入信号を送信する送信部と、侵入信号を受信する受信部とを設け、侵入信号を受信した時、前記感度設定部の感度を高感度に切り替えるように制御することを特徴とするものである。
【０００６】
【発明の実施の形態】
図１は本発明の放火検知システムのブロック図、図２は本発明の放火検知システムの概略図である。
【０００７】
まず図２のシステムの概略図を用いて、センサの設置形態について説明する。１は神社や山門などの建造物、１０は人体センサ（以下、人体検知センサともいう）、２０は炎センサを示している。防護すべき建造物１が重要文化財である場合には、炎センサ２０などをその建造物１の軒下などに取り付けることは出来ない。これは、取り付けによって、建造物１を傷つける恐れがあるためである。
【０００８】
そこで炎センサ２０は、建造物１に隣接する樹木３に取り付けてある。また人体検知センサ１０は、建造物１に隣接する建物５の外に設置されている。この際、人体検知センサ１０及び炎センサ２０は、その視野内に防護すべき建造物１が収まるように取り付けられる。そして１台では建造物１を防護できない場合には、建造物１に隣接する樹木２や建物５を利用して、センサ１０，２０は複数台設置される。このように建造物１の周りにセンサ１０，２０を１台または複数台設置することで、建造物１における放火を検知するようにしてある。
【０００９】
ここで、センサ１０，２０は、建造物１から離れた所の屋外に設置することから、各センサを電線で接続して、電線により電源を供給することは面倒となる。そこで屋外への設置を配慮して、太陽電池により電源を供給し、無線により異常信号を送信できるセンサが望まれることになる。以下に、図１を用いてこのようなセンサ１０，２０のブロック構成について説明する。
【００１０】
図１において、１０は人体検知センサ、２０は炎センサ、３０は受信機である。まず人体検知センサ１０のブロック構成について説明する。人体検知センサ１０は、人体検知部１１を有している。人体検知部１１は、公知のレーザビームや赤外線などを利用して人間の存在を検知する手段である。１２は無線送信部で、人体検知部１１が人体を検知した時、侵入信号を無線で炎センサ２０の無線送信部２５や受信機３０に送信するものである。１３は太陽光を電気エネルギーに変換する太陽電池で、その発電された電気は、充電池を有する電源部１４に蓄えられて、制御部１５を介して、人体検知部１１などの他のブロックに供給される。なお太陽電池１３は日中の間だけ発電するのに対し、放火は主に人のいない夜間に行われることが多いので、充電池の容量は夜間監視できるだけの容量を持たせる。
【００１１】
次に、炎センサ２０の構成について説明する。２３は太陽電池、２４は電源部で、これは人体検知センサ１０に設けられた太陽電池１３及び電源部２４と同じものである。２１は炎を検出する炎検知部で、例えば、炎に特有な４．３μｍの波長などを検出する赤外線検出素子や紫外線検出器などの検出素子を有している。２２は炎検知部２１の感度を設定する感度設定部で、例えば高感度と低感度の２段階に切り替えられる。この感度設定部２２は、通常状態では、低感度に設定されており、太陽光などの非火災要因によって炎検知部２１が発報しないようにしてある。
【００１２】
２５は無線受信部で、人体検知センサ１０からの無線の侵入信号を受信する。２６は無線送信部で、炎検知部２１が炎を検知した時、火災信号を受信機３０に無線で送信する。２７はカメラ部、２８は照明部であり、無線受信部２５が侵入信号を受信した時に、制御部２９によって起動するように制御される。なお、監視カメラからなるカメラ部２７は、その撮像範囲が、炎検知部２１の監視範囲を含むように設置されている。火災検知時には、無線送信部２６により火災信号と共に、カメラ部２７で撮像した画像信号が受信機３０へ送られる。
【００１３】
この炎センサ２０においては、制御部２９によって各ブロック２１〜２８が制御され、制御部２９は、人体検知センサ１０から侵入信号を受信した時、感度設定部２２の感度を高感度に切り替えるように制御する。
【００１４】
続いて、受信機３０の構成について説明する。受信機３０は、防護すべき建造物１の近辺の建物５などの常時は人が在中している場所に設置される。受信機３０は、人体検知センサ１０からの侵入信号と炎センサからの火災信号を受信する無線受信部３１を備え、これら火災信号と侵入信号とを受信した時、放火と判断する。３２は移報部で、放火と判断した時、放火信号を所定の携帯端末に移報するものである。移報部３２には、建造物１の管理者が所持している携帯電話の電話番号が登録されている。３３は制御部で、無線移報部３１及び移報部３２を制御する。
【００１５】
次に、本システムにおいて、放火が行われる場合について説明する。両センサ１０，２０は、日中は太陽電池１３，２３によって発電された電気によって電源が供給されており、夜間においては、電源部１４，２４の充電池によって電源が供給されている。
【００１６】
まず、建造物１に放火犯が近づくと、人体検知センサ１０の人体検知部１１が放火犯を検出し、無線送信部１２が無線で侵入信号を、炎センサ２０と受信機３０に送信する。炎センサ２０の無線受信部２５は、侵入信号を受信すると、感度設定部２２の感度を高感度に切り替えるように制御する。この切替により、炎検知部２１は、いち早く放火犯が建造物１へ着火した炎を検出できる。なお、炎センサ２０が複数台設置されている時には、作動した人体検知センサ１０の近傍に設けられ、侵入信号を受信した炎センサ２０は全て感度が高感度に切り替えられる。
【００１７】
また、炎センサ２０の無線受信部２５が侵入信号を受信した時には、カメラ部２７と照明部２８とを起動するよう制御する。カメラ部２７の起動により、炎検知部２１が監視する範囲が撮像される。なお、放火は通常、夜間など人目のつかない時間帯に行われるので、照明部２８を起動して建造物１の周辺を明るくすることで、正常に監視範囲を撮像できる。
【００１８】
そして、炎検知部２１が炎を検知すると、無線送信部２６が火災信号を受信機３０に送信する。また無線送信部２６は、カメラ部２７で撮像した画像も同時に受信機３０へ送信する。
【００１９】
受信機３０の無線受信部３１では、人体検知センサ１０からの侵入信号と、炎センサ２０からの火災信号の２つの信号を受信すると、放火と判断し、図示しない警報部を作動させて、放火が行われたことを警報する。また図示しない表示部に、カメラ部２７が撮像した画像を表示させる。これにより、建造物１に対する火災状況を把握できると共に、放火犯の犯行現場を確認できる。
【００２０】
受信機３０は、放火と判断すると、移報部３２が、放火信号を管理者の携帯端末に移報する。これにより管理者は、建物５から離れて受信機３０の近くにいなくても、建造物１で放火が行われたことを知ることができる。
【００２１】
なお放火信号を管理者だけでなく、消防署や警察署に移報するようにしてもよい。この場合、放火信号と共に建造物１の位置を特定できる情報も送れるようにする。また各センサの電源を太陽電池から得るようにしたが、電線を介して電源を供給するようにしても良いし、また乾電池などで駆動させてもよい。なお人体検知センサの監視視野は、炎センサの監視視野の外側に設けるようにしてもよい。このようにすると、防火対象物の離れた所から火種を投げ込まれても、人体検知センサの監視視野が大きいので、放火犯を検知することができる。
【００２２】
このように本発明の放火検知システムにおいては、センサ１０，２０は太陽電池及び電源部によって電源が供給され、また無線送信部によって、火災信号などの異常信号を送信するので、電源供給用や信号送出用の電線が不要となる。このため重要文化財など、防護対象物に直接センサを設置できない場合のシステムを構築するのに有効となる。
【００２３】
【発明の効果】
本発明は以上のように構成され、侵入信号を受信した時に、炎センサの感度を高感度に切り替えるように制御するので、通常は低感度に設定しておくことができ、屋外に設置しても、誤報が生じにくい。
【図面の簡単な説明】
【図１】本発明の放火検知システムのブロック図である。
【図２】本発明の放火検知システムの概略図である。
【符号の説明】
１０  人体センサ、  １１  人体検知部、  １２  無線送信部、
１３    太陽電池、  １４  電源部、  １５  制御部、  ２０  炎センサ、
２１  炎検知部、  ２２  感度設定部、  ２３  太陽電池、
２４  電源部、  ２５  無線受信部、２６  無線送信部、  ２７  カメラ部、
２８  照明部、  ２９  制御部、  ３０  受信機、  ３１  無線受信部、
３２  移報部、
【図１】
2004303093.tif 000003
【図２】
2004303093.tif 000004